(57)【要約】【課題】生放送の番組に対しても適用可能なザッピングを提供することができる送信装置及び受信装置を提供すること。【解決手段】送信装置１００は、多重化されたＴＳに含まれる映像等データをそれぞれ伝送路符号化する第１伝送路符号化部１１０、第２伝送路符号化部１２０及び第３伝送路符号化部１３０と、ザッピングデータを生成するザッピングデータ生成部１４０と、ＩＰネットワーク１５と通信する通信部１６０とを備え、ザッピングデータ生成部１４０は、１〜３ｃｈ番組データを低ビットレートのザッピングデータにそれぞれ変換するトランスコード部１４１、１４２及び１４３と、ザッピングデータを多重化する多重化部１４４と、多重化されたザッピングデータを伝送路符号化する第４伝送路符号化部１５０とを備える。【選択図】図２
2007281868.tif 000002
【特許請求の範囲】
【請求項１】
所定のビットレートで情報源符号化された複数の第１情報を入力する第１情報入力手段と、前記ビットレートよりも低いビットレートに前記複数の第１情報がそれぞれ変換された複数の第２情報を入力する第２情報入力手段と、前記複数の第２情報を多重化して多重化第２情報として出力する多重化手段と、前記複数の第１情報を互いに異なるチャンネルで送信し、前記多重化第２情報を前記チャンネルとは異なる特定チャンネルで送信する送信手段とを備えたことを特徴とする送信装置。
【請求項２】
前記複数の第１情報を入力し、前記ビットレートよりも低いビットレートに前記複数の第１情報をそれぞれ変換して前記複数の第２情報を出力するビットレート変換手段を備えたことを特徴とする請求項１に記載の送信装置。
【請求項３】
前記送信手段によって前記複数の第１情報が送信される時刻を所定時間だけ遅延させる遅延手段を備えたことを特徴とする請求項１又は請求項２に記載の送信装置。
【請求項４】
所定のビットレートで情報源符号化された複数の第１情報のうちの１つを受信するために予め定められたチャンネルを選択するチャンネル選択手段と、選択された前記チャンネルの選択第１情報及び前記チャンネルに係わらず特定チャンネルで送信された複数の第２情報を受信する受信手段と、前記選択第１情報を伝送路復号化する第１伝送路復号化手段と、受信された前記複数の第２情報を伝送路復号化する第２伝送路復号化手段と、前記第１伝送路復号化手段及び前記第２伝送路復号化手段のいずれか一方から出力される情報を選択して出力する情報選択出力手段とを備え、
前記複数の第２情報は、前記複数の第１情報が前記ビットレートよりも低いビットレートにそれぞれ変換されたものであり、
前記情報選択出力手段は、前記チャンネル選択手段によって新たなチャンネルが選択されたとき、前記新たなチャンネルが選択されてから前記新たなチャンネルに係る第１情報の伝送路復号化が完了するまでの期間において、前記第２伝送路復号化手段を選択して前記新たなチャンネルに係る第１情報に対応する低ビットレートの第２情報を出力し、前記期間の経過後において、前記第１伝送路復号化手段を選択して前記新たなチャンネルに係る第１情報を出力することを特徴とする受信装置。
【請求項５】
所定のビットレートで情報源符号化された複数の第１情報のうちの１つを受信するために予め定められたチャンネルを選択するチャンネル選択手段と、選択された前記チャンネルの選択第１情報及び前記チャンネルに係わらず特定チャンネルで送信された複数の第２情報を受信する受信手段と、前記選択第１情報を伝送路復号化する第１伝送路復号化手段と、受信された前記複数の第２情報を伝送路復号化する第２伝送路復号化手段と、伝送路復号化された前記第１情報を情報源復号化する第１情報源復号化手段と、伝送路復号化された前記複数の第２情報を情報源復号化する第２情報源復号化手段と、前記第１情報源復号化手段及び前記第２情報源復号化手段のいずれか一方から出力される情報を選択して出力する情報選択出力手段とを備え、
前記複数の第２情報は、前記複数の第１情報が前記ビットレートよりも低いビットレートにそれぞれ変換されたものであり、
前記情報選択出力手段は、前記チャンネル選択手段によって新たなチャンネルが選択されたとき、前記新たなチャンネルが選択されてから前記新たなチャンネルに係る第１情報の情報源復号化が完了するまでの期間において、前記第２情報源復号化手段を選択して前記新たなチャンネルに係る第１情報に対応する低ビットレートの第２情報を出力し、前記期間の経過後において、前記第１情報源復号化手段を選択して前記新たなチャンネルに係る第１情報を出力することを特徴とする受信装置。
【請求項６】
前記期間において前記情報選択出力手段が出力する前記第２情報と、前記期間の経過後において前記情報選択出力手段が出力する前記第１情報とを同期させる同期手段を備えたことを特徴とする請求項４又は請求項５に記載の受信装置。
【発明の詳細な説明】
【技術分野】
【０００１】
本発明は、例えば、動画像や音声のデータを複数のチャンネルでストリーミング伝送する送信装置及び受信装置に関する。
【背景技術】
【０００２】
近年、地上波や衛星波、ＣＡＴＶ（ケーブルＴＶ）といった放送波による情報伝送システムに加えて、通信回線を用いたものが普及しつつある。その１つであるＩＰネットワークによる情報伝送システムでは、例えばＩＰマルチキャスト通信を行う場合、互いに異なるマルチキャストアドレスを各チャンネルとして送信装置からストリームを送信し、受信装置側でチャンネルを選択することにより、映像、音声、テキスト、静止画等（以下「映像等」という。）のデータを再生し、当該チャンネルの番組として利用者に提供することができる。
【０００３】
しかしながら、例えば、パケット伝送によりベストエフォートで情報伝送を行うＩＰネットワークにおいては、映像等のデータをストリーミング伝送する際に、通常、伝送路での伝送遅延の揺らぎを吸収したり、伝送途中で失われたパケットの再送を待ったり、あるいはデインターリーブを行ってからＦＥＣ（Ｆｏｒｗａｒｄ  Ｅｒｒｏｒ  Ｃｏｒｒｅｃｔｉｏｎ）による誤り回復を行ったりといった、伝送路の不確実性を吸収するためのバッファリング時間（通常数秒から十数秒）が必要となる。
【０００４】
したがって、従来のＩＰネットワークによる情報伝送システムでは、利用者が視聴する番組を切り替える場合、チャンネルを切り替えてから切り替え後のチャンネルで送られている番組の映像等のデータの再生を開始するまでの期間において、バッファリング時間分の遅延が必ず発生するので、チャンネルを切り替えたときに、複数のチャンネルで放送されている各番組を高速に逐次閲覧すること（以下「ザッピング」という。）が困難になるという課題があった。
【０００５】
この課題の解決を図ることを目的として、例えば特許文献１及び２に示されたものが提案されている。
【０００６】
まず、特許文献１に示されたものは、ザッピング用のデータ、具体的には番組の一部、ダイジェスト、代表画面、番組のタイトル等のデータを受信装置側で予め蓄積しておき、視聴者からチャンネル選択のリクエストがあった場合に、チャンネル選択のリクエストがあってから放送番組の再生が開始できるまでの間、蓄積しておいたザッピングデータを提示する構成となっている。この構成により、視聴者は、受信する番組の切り替え後の再生待ち時間の経過を待たずして、視聴したい番組の概要を知ることができ、高速なザッピングができると特許文献１には記載されている。
【０００７】
次に、特許文献２に示されたものは、配信サーバに蓄えられた番組の先頭部分データを受信装置側に予め蓄積しておき、先頭部分データを再生している間にサーバに蓄えられた番組のデータの受信を開始し、先頭部分データの画像から受信しているデータの画像に切り替える構成となっている。具体的には、特許文献２に示されたものは、例えばＶＯＤ（Ｖｉｄｅｏ  Ｏｎ  Ｄｅｍａｎｄ）サービスにおいて、あるジャンルが選択された場合、当該ジャンル内の番組の先頭部分データを予め蓄積してザッピングストリームを構成しておくことにより、当該ジャンル内でのザッピングを視聴者に提供することができるものである。
【０００８】
【特許文献１】特開２００３−３２４７１１号公報
【特許文献２】特開２００４−１９４２９４号公報
【発明の開示】
【発明が解決しようとする課題】
【０００９】
しかしながら、特許文献１に示されたものでは、チャンネル切り替え後の再生待ち時間において受信装置側で予め蓄積したデータを提示する構成なので、生放送の番組が選択された場合の再生待ち時間において提示されるものは当該生放送中の映像等とは異なったものになるという課題があった。
【００１０】
また、特許文献２に示されたものでは、ザッピングを提供するために受信装置側で各番組の先頭部分データを予め蓄積してザッピングストリームを構成しておく必要があるので、ＶＯＤサービスには適用できるが、生放送の番組を含む放送番組には適用できないという課題があった。
【００１１】
本発明は、従来の課題を解決するためになされたものであり、生放送の番組に対しても適用可能なザッピングを提供することができる送信装置及び受信装置を提供することを目的とする。
【課題を解決するための手段】
【００１２】
本発明の送信装置は、所定のビットレートで情報源符号化された複数の第１情報を入力する第１情報入力手段と、前記ビットレートよりも低いビットレートに前記複数の第１情報がそれぞれ変換された複数の第２情報を入力する第２情報入力手段と、前記複数の第２情報を多重化して多重化第２情報として出力する多重化手段と、前記複数の第１情報を互いに異なるチャンネルで送信し、前記多重化第２情報を前記チャンネルとは異なる特定チャンネルで送信する送信手段とを備えた構成を有している。
【００１３】
この構成により、本発明の送信装置は、複数の第１情報を互いに異なるチャンネルで送信し、これらのチャンネルとは異なる特定チャンネルで多重化第２情報を送信するので、受信装置において複数の第２情報を常時受信させることにより、受信装置で新たなチャンネルが選択されて当該チャンネルの番組データが再生できるまでの期間に、当該番組データに対応する低ビットレートの番組データを再生させることができ、生放送の番組に対しても適用可能なザッピングを提供することができる。
【００１４】
また、本発明の送信装置は、前記複数の第１情報を入力し、前記ビットレートよりも低いビットレートに前記複数の第１情報をそれぞれ変換して前記複数の第２情報を出力するビットレート変換手段を備えた構成を有している。
【００１５】
この構成により、本発明の送信装置は、低ビットレートの複数の第２情報を装置内部で生成するので、複数の第１情報を互いに異なるチャンネルで送信し、これらのチャンネルとは異なる特定チャンネルで多重化第２情報を送信することができる。
【００１６】
さらに、本発明の送信装置は、前記送信手段によって前記複数の第１情報が送信される時刻を所定時間だけ遅延させる遅延手段を備えた構成を有している。
【００１７】
この構成により、本発明の送信装置は、第１情報と第２情報とを同期させて送信することができる。
【００１８】
本発明の受信装置は、所定のビットレートで情報源符号化された複数の第１情報のうちの１つを受信するために予め定められたチャンネルを選択するチャンネル選択手段と、選択された前記チャンネルの選択第１情報及び前記チャンネルに係わらず特定チャンネルで送信された複数の第２情報を受信する受信手段と、前記選択第１情報を伝送路復号化する第１伝送路復号化手段と、受信された前記複数の第２情報を伝送路復号化する第２伝送路復号化手段と、前記第１伝送路復号化手段及び前記第２伝送路復号化手段のいずれか一方から出力される情報を選択して出力する情報選択出力手段とを備え、前記複数の第２情報は、前記複数の第１情報が前記ビットレートよりも低いビットレートにそれぞれ変換されたものであり、前記情報選択出力手段は、前記チャンネル選択手段によって新たなチャンネルが選択されたとき、前記新たなチャンネルが選択されてから前記新たなチャンネルに係る第１情報の伝送路復号化が完了するまでの期間において、前記第２伝送路復号化手段を選択して前記新たなチャンネルに係る第１情報に対応する低ビットレートの第２情報を出力し、前記期間の経過後において、前記第１伝送路復号化手段を選択して前記新たなチャンネルに係る第１情報を出力する構成を有している。
【００１９】
この構成により、本発明の受信装置は、チャンネル選択手段によって新たなチャンネルが選択されたとき、新たなチャンネルが選択されてから新たなチャンネルに係る第１情報の伝送路復号化が完了するまでの期間において、第２伝送路復号化手段を選択して新たなチャンネルに係る第１情報に対応する低ビットレートの第２情報を出力し、上記期間の経過後において、第１伝送路復号化手段を選択して新たなチャンネルに係る第１情報を出力するので、生放送の番組に対しても適用可能なザッピングを提供することができる。
【００２０】
また、本発明の受信装置は、所定のビットレートで情報源符号化された複数の第１情報のうちの１つを受信するために予め定められたチャンネルを選択するチャンネル選択手段と、選択された前記チャンネルの選択第１情報及び前記チャンネルに係わらず特定チャンネルで送信された複数の第２情報を受信する受信手段と、前記選択第１情報を伝送路復号化する第１伝送路復号化手段と、受信された前記複数の第２情報を伝送路復号化する第２伝送路復号化手段と、伝送路復号化された前記第１情報を情報源復号化する第１情報源復号化手段と、伝送路復号化された前記複数の第２情報を情報源復号化する第２情報源復号化手段と、前記第１情報源復号化手段及び前記第２情報源復号化手段のいずれか一方から出力される情報を選択して出力する情報選択出力手段とを備え、前記複数の第２情報は、前記複数の第１情報が前記ビットレートよりも低いビットレートにそれぞれ変換されたものであり、前記情報選択出力手段は、前記チャンネル選択手段によって新たなチャンネルが選択されたとき、前記新たなチャンネルが選択されてから前記新たなチャンネルに係る第１情報の情報源復号化が完了するまでの期間において、前記第２情報源復号化手段を選択して前記新たなチャンネルに係る第１情報に対応する低ビットレートの第２情報を出力し、前記期間の経過後において、前記第１情報源復号化手段を選択して前記新たなチャンネルに係る第１情報を出力する構成を有している。
【００２１】
この構成により、本発明の受信装置は、チャンネル選択手段によって新たなチャンネルが選択されたとき、新たなチャンネルが選択されてから新たなチャンネルに係る第１情報の情報源復号化が完了するまでの期間において、第２情報源復号化手段を選択して新たなチャンネルに係る第１情報に対応する低ビットレートの第２情報を出力し、上記期間の経過後において、第１情報源復号化手段を選択して新たなチャンネルに係る第１情報を出力するので、生放送の番組に対しても適用可能なザッピングを提供することができる。
【００２２】
さらに、本発明の受信装置は、前記期間において前記情報選択出力手段が出力する前記第２情報と、前記期間の経過後において前記情報選択出力手段が出力する前記第１情報とを同期させる同期手段を備えた構成を有している。
【００２３】
この構成により、本発明の受信装置は、受信した第１情報と第２情報とを同期させて出力することができるので、第２情報による番組から第１情報による番組に切り替える際、視聴者に違和感を与えることなく番組を視聴させることができる。
【発明の効果】
【００２４】
本発明は、生放送の番組に対しても適用可能なザッピングを提供することができるという効果を有する送信装置及び受信装置を提供することができるものである。
【発明を実施するための最良の形態】
【００２５】
以下、本発明の実施の形態について図面を用いて説明する。なお、本発明の送信装置及び受信装置を、３つのチャンネルで番組を提供する放送システムに適用する例を挙げて説明する。
【００２６】
（第１の実施の形態）
まず、本発明の第１の実施の形態に係る放送システムの構成について説明する。
【００２７】
図１に示すように、本実施の形態に係る放送システム１０は、映像、音声、テキスト、静止画等のデータ（以下「映像等データ」という。）を情報源符号化するエンコーダ１１〜１３と、情報源符号化された映像等データを含むストリームをＩＰネットワーク１５に送出する送信装置１００と、ストリームを受信する受信装置２００と、映像等を表示する表示装置１４とを備えている。ここで、ＩＰネットワーク１５を伝送路として取り挙げたのは、伝送路での不確実性を、遅延を許容して補償する必要がある場合のシステム構成例を示すためであり、本発明はこれに限定されるものではない。また、情報源符号化された映像等データは、特許請求の範囲に記載の第１情報に対応するものである。
【００２８】
エンコーダ１１〜１３は、それぞれ、映像等データを入力し、所定のビットレートでそれぞれ情報源符号化して多重化するようになっている。例えば、入力された映像等データは、ＭＰＥＧ（Ｍｏｖｉｎｇ  Ｐｉｃｔｕｒｅ  ＥｘｐｅｒＴＳ  Ｇｒｏｕｐ）−２の規格に準拠したトランスストリーム形式のデータ（以下「ＴＳ」という。）に情報源符号化されて多重化され、多重化されたＴＳが送信装置１００に出力されるようになっている。
【００２９】
表示装置１４は、例えば、映像処理回路、液晶ディスプレイ、音声増幅回路、スピーカ等で構成され、受信装置２００が受信したＴＳに含まれる映像等データを再生し、映像等を視聴者に提供するようになっている。
【００３０】
次に、送信装置１００の構成について説明する。
【００３１】
図２に示すように、送信装置１００は、多重化されたＴＳに含まれる映像等データをそれぞれ伝送路符号化する第１伝送路符号化部１１０、第２伝送路符号化部１２０及び第３伝送路符号化部１３０と、特定チャンネルで提供するＴＳを生成するザッピングデータ生成部１４０と、ＩＰネットワーク１５と通信する通信部１６０とを備えている。
【００３２】
なお、送信装置１００は、エンコーダ１１〜１３からそれぞれ出力されたＴＳを第１、第２及び第３チャンネルの番組データとしてＩＰネットワーク１５に送出するものとする。以下、例えば第１チャンネルの番組データを１ｃｈ番組データと表す。また、第１〜第３チャンネル及び特定チャンネルは、受信装置２００の例えばアドレスやポート番号と対応付けられるものである。また、本実施の形態においては、特定チャンネルを第４チャンネルとして説明する。また、送信装置１００は、例えばＣＰＵ（Ｃｅｎｔｒａｌ  Ｐｒｏｃｅｓｓｉｎｇ  Ｕｎｉｔ）、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）等を備え、所定のプログラムによって動作するようになっている。
【００３３】
第１伝送路符号化部１１０は、受信した１ｃｈ番組データを一時的に格納する受信バッファ１１１と、１ｃｈ番組データのＦＥＣ符号化処理を行うＦＥＣ符号化部１１２と、インターリーブ処理を行うインターリーブ処理部１１３と、１ｃｈ番組データをパケット化するパケット化部１１４と、パケット化した１ｃｈ番組データを一時的に格納する送信バッファ１１５とを備えている。
【００３４】
受信バッファ１１１は、第１伝送路符号化部１１０に到着した１ｃｈ番組データを到着した順序で一時的に格納し、ＦＥＣ符号化部１１２に順次出力するようになっている。
【００３５】
ＦＥＣ符号化部１１２は、例えばリードソロモン符号を用いて１ｃｈ番組データのＦＥＣ符号化を行うようになっている。このＦＥＣ符号化により、パケット化部１１４によってパケット化された１ｃｈ番組データを含むパケット（以下「１ｃｈ番組パケット」という。）の一部が送信後に消失しても、受信装置２００において誤り訂正の処理により回復することができる。
【００３６】
インターリーブ処理部１１３は、受信装置２００における誤り訂正の能力を高めるためにデータの並び順を所定の順序に並び替えるインターリーブ処理を実行するようになっている。
【００３７】
パケット化部１１４は、例えばＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）に基づいたパケット化の処理を行うようになっている。
【００３８】
送信バッファ１１５は、パケット化部１１４が生成した１ｃｈ番組パケットを一時的に格納し、通信部１６０に順次出力するようになっている。
【００３９】
なお、第２伝送路符号化部１２０及び第３伝送路符号化部１３０の構成は、第１伝送路符号化部１１０と同様なので、第１伝送路符号化部１１０に対応する符号を付して説明を省略する。ただし、第２伝送路符号化部１２０及び第３伝送路符号化部１３０は、それぞれ、２ｃｈ番組データ及び３ｃｈ番組データを伝送路符号化するものである。なお、第１伝送路符号化部１１０、第２伝送路符号化部１２０及び第３伝送路符号化部１３０は、本発明の第１情報入力手段を構成している。
【００４０】
ザッピングデータ生成部１４０は、１〜３ｃｈ番組データを低ビットレートの番組データ（以下「ザッピングデータ」という。）にそれぞれ変換するトランスコード部１４１、１４２及び１４３と、ザッピングデータを多重化する多重化部１４４と、多重化されたザッピングデータを伝送路符号化する第４伝送路符号化部１５０とを備えている。なお、低ビットレートに変換されたザッピングデータは、特許請求の範囲に記載の第２情報に対応するものである。
【００４１】
トランスコード部１４１は、エンコーダ１１（図１参照）において所定のビットレートで情報源符号化された１ｃｈ番組データを入力し、当該ビットレートよりも低いビットレートに変換して１ｃｈ番組のザッピングデータ（以下「１ｃｈザッピングデータ」という。）として出力するようになっている。
【００４２】
具体的には、トランスコード部１４１は、映像データを対象とする場合、例えばＭＰＥＧ−２  ＶｉｄｅｏのＭＰ＠ＨＬの信号をＩＴＵ−Ｔ勧告Ｈ．２６４のベースラインプロファイル（Ｂａｓｅｌｉｎｅ  Ｐｒｏｆｉｌｅ）で示されたビットレートにトランスコードすることにより、元のビットレートの１／１００程度に変換するようになっている。ここで、ＭＰ＠ＨＬ（メインプロファイル・アット・ハイレベル）の信号は、ＨＤＴＶ（高精細テレビ）クラスを対象とした映像信号である。また、トランスコード技術は、符号化されたデータを復号化することなく所定のフォーマットに変換する技術であり、符号化されたデータを一旦復号化して変換するものよりも処理の高速化が図れ、映像の劣化も少ないという特徴を有するものである。
【００４３】
トランスコード部１４１と同様に、トランスコード部１４２及びトランスコード部１４３は、それぞれ、２ｃｈザッピングデータ及び３ｃｈザッピングデータを出力するようになっている。なお、トランスコード部１４１〜１４３は、本発明のビットレート変換手段を構成している。
【００４４】
多重化部１４４は、１〜３ｃｈザッピングデータを入力し、１つのＴＳに多重化するようになっている。この多重化部１４４から出力される多重化された１〜３ｃｈザッピングデータは、特許請求の範囲に記載の多重化第２情報に対応するものである。また、多重化部１４４は、本発明の多重化手段を構成している。
【００４５】
なお、本実施の形態においては、チャンネル数を３個に仮定しているため、多重化部１４４は、１つのＴＳに多重化するものとしているが、本発明はこれに限定されるものでなく複数のＴＳに多重化する構成としてもよい。具体的には、チャンネル数が１００個の場合、１００チャンネル分の番組データにそれぞれ対応するザッピングデータを例えば５０ずつの２つのグループに分け、２つのグループのザッピングデータをそれぞれ２つのＴＳに多重化するよう多重化部１４４を構成することもできる。
【００４６】
また、本実施の形態に係る送信装置１００は、トランスコード部１４１〜１４３を備え、多重化部１４４は、トランスコード部１４１〜１４３からそれぞれ１〜３ｃｈザッピングデータを入力する構成としているが、本発明はこれに限定されるものではない。例えば、１〜３ｃｈ番組データをトランスコードするエンコーダを外部に用意し、当該エンコーダから多重化部１４４が１〜３ｃｈザッピングデータを入力する構成としてもよい。この場合、多重化部１４４は、本発明の第２情報入力手段を構成することとなる。
【００４７】
第４伝送路符号化部１５０は、多重化されたザッピングデータを一時的に格納する受信バッファ１５１と、ザッピングデータのＦＥＣ符号化処理を行うＦＥＣ符号化部１５２と、ザッピングデータのインターリーブ処理を行うインターリーブ処理部１５３と、ザッピングデータをパケット化するパケット化部１５４と、パケット化されたザッピングデータを一時的に格納する送信バッファ１５５とを備えている。
【００４８】
受信バッファ１５１は、多重化されて第４伝送路符号化部１５０に到着したザッピングデータを到着した順序で一時的に格納し、ＦＥＣ符号化部１５２に順次出力するようになっている。
【００４９】
ＦＥＣ符号化部１５２は、例えばリードソロモン符号を用いてザッピングデータのＦＥＣ符号化を行うようになっている。このＦＥＣ符号化により、パケット化部１５４によってパケット化されたザッピングデータを含むパケット（以下「ザッピングデータパケット」という。）の一部が送信後に消滅しても、受信装置２００において誤り訂正の処理により回復することができる。
【００５０】
インターリーブ処理部１５３は、受信装置２００における誤り訂正の能力を高めるためにデータの並び順を所定の順序に並び替えるインターリーブ処理を実行するようになっている。
【００５１】
パケット化部１５４は、インターリーブ処理されたザッピングデータを分割して例えばＵＤＰ／ＩＰに基づいたパケット化の処理を行うようになっている。
【００５２】
送信バッファ１５５は、パケット化部１５４が生成したザッピングパケットを一時的に格納し、通信部１６０に順次出力するようになっている。
【００５３】
通信部１６０は、第１伝送路符号化部１１０、第２伝送路符号化部１２０及び第３伝送路符号化部１３０が伝送路符号化した１〜３ｃｈ番組パケットを、それぞれ、送信バッファ１１５、１２５及び１３５から順次読み出し、第１、第２及び第３チャンネルの番組のＴＳとしてＩＰネットワーク１５に送出するようになっている。なお、通信部１６０は、本発明の送信手段を構成している。
【００５４】
また、通信部１６０は、第４伝送路符号化部１５０が伝送路符号化したザッピングデータパケットを、送信バッファ１５５から順次読み出し、予め定められた特定チャンネル、本実施の形態においては第４チャンネルの番組のＴＳとしてＩＰネットワーク１５に送出するようになっている。
【００５５】
また、通信部１６０は、番組データとザッピングデータとを関連付けた情報を、例えば図３に示すようなテーブルにより、あるいは、ザッピングデータと対応する番組データを当該ザッピングデータにリンク記述子で記述することにより、受信装置２００に送信するようになっている。
【００５６】
図３において、送信する番組データの（ｏｒｉｇｉｎａｌ＿ｎｅｔｗｏｒｋ＿ｉｄ，ｔｓ＿ｉｄ，ｓｅｒｖｉｃｅ＿ｉｄ）と、ザッピングデータの（ｏｒｉｇｉｎａｌ＿ｎｅｔｗｏｒｋ＿ｉｄ，ｔｓ＿ｉｄ，ｓｅｒｖｉｃｅ＿ｉｄ）との関係を表したテーブルの一例が示されている。ここで、「ｏｒｉｇｉｎａｌ＿ｎｅｔｗｏｒｋ＿ｉｄ」は、ネットワークに固有な識別子を示す。また、「ｔｓ＿ｉｄ」は、ＴＳを識別するための識別子を示し、「ｓｅｒｖｉｃｅ＿ｉｄ」は、ネットワーク内で個々のサービスを識別するため、各サービスに割り当てられる識別子を示す。
【００５７】
また、例えば、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：電波産業会）のＳＴＤ−Ｂ．１０で規定されるＳＩ（Ｓｅｒｖｉｃｅ  Ｉｎｆｏｒｍａｔｉｏｎ）に従って運用すると仮定すると、本規定における代替サービスとして通信部１６０が送信する番組データを指定し、飛び先の（ｏｒｉｇｉｎａｌ＿ｎｅｔｗｏｒｋ＿ｉｄ，ｔｓ＿ｉｄ，ｓｅｒｖｉｃｅ＿ｉｄ）を記述するのが好ましい。通信部１６０が送信する番組データ及びザッピングデータがどのチャンネルで提供されているかは、番組データとザッピングデータとの関係のデータを拡張してチャンネル情報、例えばＩＰアドレスやポート番号等を含めて伝送してもよいし、別途それぞれの（ｏｒｉｇｉｎａｌ＿ｎｅｔｗｏｒｋ＿ｉｄ，ｔｓ＿ｉｄ，ｓｅｒｖｉｃｅ＿ｉｄ）と、それが伝送されるチャンネル情報を例えばＮＩＴ（Ｎｅｔｗｏｒｋ  Ｉｎｆｏｒｍａｔｉｏｎ  Ｔａｂｌｅ）形式で伝送してもよい。なお、受信装置２００側で所定のチャンネル範囲内をスキャンすることにより、チャンネル情報を取得する構成としてもよい。
【００５８】
次に、受信装置２００の構成について説明する。
【００５９】
受信装置２００は、図４に示すように、ＩＰネットワーク１５と通信する通信部２０１と、受信するチャンネルを選択するチャンネル選択部２０２と、装置全体の動作を制御する制御部２０３と、選択して受信した番組データを伝送路復号化する第１伝送路復号化部２１０と、常時受信するザッピングデータを常時伝送路復号化する第２伝送路復号化部２２０と、伝送路復号化された番組データを情報源復号化する第１デコーダ２０４と、伝送路復号化されたザッピングデータを情報源復号化する第２デコーダ２０５と、第１デコーダ２０４及び第２デコーダ２０５のいずれか一方から出力されるデータを選択して出力する切替部２０６とを備えている。なお、受信装置２００は、例えばＣＰＵ、ＲＯＭ、ＲＡＭ等を備え、所定のプログラムによって動作するようになっている。
【００６０】
通信部２０１は、ネットワークインタフェースを備え、ＩＰネットワーク１５と通信し、チャンネル選択部２０２が選択したチャンネルに係る番組データパケットを受信するようになっている。なお、通信部２０１は、本発明の受信手段を構成している。
【００６１】
また、通信部２０１は、送信装置１００から特定チャンネルで送信されるザッピングデータパケットを、チャンネル選択部２０２が選択したチャンネルに係わらず、常時受信するようになっている。
【００６２】
チャンネル選択部２０２は、チャンネルを選択するためのチャンネルキーと、チャンネルキーに応じたチャンネル信号を生成する信号生成回路とを備え、視聴者が選択したチャンネルに応じたチャンネル信号を制御部２０３に出力するようになっている。なお、このチャンネル選択部２０２によって選択されたチャンネルの番組データは、特許請求の範囲に記載の選択第１情報に対応するものである。また、チャンネル選択部２０２は、本発明のチャンネル選択手段を構成している。
【００６３】
制御部２０３は、チャンネル選択部２０２からのチャンネル信号に基づき、装置各部に制御信号を出力し、各部の動作を制御するようになっている。この制御信号は、図４において制御部２０３を起点とする破線の矢印で示されている。
【００６４】
第１伝送路復号化部２１０は、選択されたチャンネルで通信部２０１が受信したパケットを一時的に格納する入力バッファ２１１と、所定のパケット処理を行うパケット処理部２１２と、デインターリーブ処理を行うデインターリーブ処理部２１３と、損失したパケットを回復処理するＦＥＣ回復部２１４と、番組データを一時的に格納する出力バッファ２１５とを備えている。なお、第１伝送路復号化部２１０は、本発明の第１伝送路復号化手段を構成している。
【００６５】
入力バッファ２１１は、例えばＵＤＰ／ＩＰに基づいたパケットを一時的に格納するようになっている。パケット処理部２１２は、例えばＵＤＰ／ＩＰに基づいたパケットから番組データを取り出す処理を行うようになっている。デインターリーブ処理部２１３は、予め定められた規則に従って番組データを並び替えて出力するようになっている。ＦＥＣ回復部２１４は、伝送中にパケットロスが発生した場合、例えばリードソロモン復号によって誤り訂正処理を行って、消失したデータを回復するようになっている。出力バッファ２１５は、例えばＦＩＦＯ（Ｆｉｒｓｔ  Ｉｎ  Ｆｉｒｓｔ  Ｏｕｔ）型のメモリで構成され、伝送路復号化された番組データを一時的に格納し、先に格納したものから先に出力するようになっている。
【００６６】
第２伝送路復号化部２２０は、第１伝送路復号化部２１０と同様の構成となっているので構成の説明を省略する。ただし、第１伝送路復号化部２１０が、選択されたチャンネルの番組データを伝送路復号化するものであるのに対し、第２伝送路復号化部２２０は、常時受信しているザッピングデータを、選択されたチャンネルとは無関係に常時伝送路復号化するものである。なお、第２伝送路復号化部２２０は、本発明の第２伝送路復号化手段を構成している。
【００６７】
また、図４においては、ザッピングデータが１つのＴＳに多重化されたものとして、第２伝送路復号化部２２０の構成を示したものであるが、ザッピングデータが複数のＴＳに多重化されている場合には、当該複数のＴＳを全て常時受信して伝送路復号化を行う構成となる。
【００６８】
第１デコーダ２０４は、第１伝送路復号化部２１０が伝送路復号化した番組データを情報源復号化するようになっている。第２デコーダ２０５は、第２伝送路復号化部２２０が伝送路復号化したザッピングデータを情報源復号化するようになっている。なお、第１デコーダ２０４及び第２デコーダ２０５は、それぞれ、本発明の第１情報源復号化手段及び第２情報源復号化手段を構成している。
【００６９】
切替部２０６は、チャンネル選択部２０２によるチャンネルの選択状態に基づいて、第１デコーダ２０４が情報源復号化した番組データ、又は、第２デコーダ２０５が情報源復号化したザッピングデータのいずれか一方を選択して出力するようになっている。なお、切替部２０６は、本発明の情報選択出力手段を構成している。
【００７０】
具体的には、切替部２０６が第１デコーダ２０４を選択し、例えば第１チャンネルの番組が視聴者に提供されている状態において、チャンネル選択部２０２によって第２チャンネルが選択されたとき、切替部２０６は、第２チャンネルが選択されてから２ｃｈ番組データの情報源復号化が完了するまでの期間（以下「待機期間」という。）において、第２デコーダ２０５を選択して２ｃｈ番組データに対応する２ｃｈザッピングデータを出力し、上記待機期間の経過後、すなわち情報源復号化された２ｃｈ番組データが第１デコーダ２０４から出力できる状態になった時点で、第１デコーダ２０４を選択して２ｃｈ番組データを出力するようになっている。
【００７１】
なお、切替部２０６が第１デコーダ２０４を選択している期間において、第２伝送路復号化部２２０が伝送路復号化したザッピングデータは、出力バッファ２２５又は第２デコーダ２０５によって破棄されるようになっている。
【００７２】
次に、本実施の形態に係る放送システム１０の動作について説明する。
【００７３】
最初に、エンコーダ１１〜１３及び送信装置１００の動作について図１及び図２を用いて説明する。
【００７４】
まず、図１に示すように、１〜３ｃｈ番組データを構成する映像等データが、エンコーダ１１〜１３にそれぞれ入力される。次いで、エンコーダ１１〜１３によって、所定のビットレートで映像等データが情報源符号化されて多重化され、ＴＳとして送信装置１００に出力される。
【００７５】
次に、図２に示すように、送信装置１００に入力された１〜３ｃｈ番組データが、それぞれ、第１伝送路符号化部１１０、第２伝送路符号化部１２０及び第３伝送路符号化部１３０に入力され、伝送路符号化が行われて通信部１６０に出力される。
【００７６】
また、送信装置１００に入力された１〜３ｃｈ番組データは、並行してザッピングデータ生成部１４０にも入力され、トランスコード部１４１〜１４３によって、低ビットレートの１〜３ｃｈザッピングデータに変換される。続いて、多重化部１４４によって、１〜３ｃｈザッピングデータが１つのＴＳに多重化され、第４伝送路符号化部１５０によって符号化されて通信部１６０に出力される。
【００７７】
そして、通信部１６０によって、符号化された１〜３ｃｈ番組データと、多重化され復号化された１〜３ｃｈザッピングデータとが受信装置２００の所定のアドレスやポート番号に向けたＴＳとして出力される。
【００７８】
次に、受信装置２００の動作について図４及び図５を用いて説明する。
【００７９】
まず、電源がオン（ステップＳ１１）にされた後、選択されたチャンネルの番組データが通信部２０１によって受信され、第１伝送路復号化部２１０に出力される（ステップＳ１２）。ここで、選択されたチャンネルは、例えば、既定のチャンネルか、前回電源オフ時のチャンネルとされるが、以下、第１チャンネルが選択されたものとして説明する。
【００８０】
次いで、制御部２０３によって、第１伝送路復号化部２１０から伝送路復号化された１ｃｈ番組データが出力できる状態か否かが判断される（ステップＳ１３）。
【００８１】
ステップＳ１３において、伝送路復号化された１ｃｈ番組データが出力できる状態と判断されなかった場合はステップＳ１２に戻り、伝送路復号化された１ｃｈ番組データが出力できる状態と判断された場合は、第１デコーダ２０４によって、１ｃｈ番組データが情報源復号化される（ステップＳ１４）。
【００８２】
次いで、切替部２０６によって、第１デコーダ２０４が選択され、情報源復号化された１ｃｈ番組データが表示装置１４（図１参照）に出力される（ステップＳ１５）。その結果、表示装置１４によって、１ｃｈ番組の映像、音声が再生され、視聴者に提供されることとなる。
【００８３】
引き続き、制御部２０３によって、チャンネル選択部２０２によってチャンネルが切り替えられたか否かが判断される（ステップＳ１６）。
【００８４】
ステップＳ１６において、チャンネルが切り替えられたと判断されなかった場合は、ステップＳ１４に戻り、チャンネルが切り替えられたと判断された場合は、制御部２０３によって、第１伝送路復号化部２１０がリセットされ（ステップＳ１７）、後述のステップＳ１９に進む。なお、切り替え後のチャンネルは、第２チャンネルとして以下説明する。
【００８５】
一方、ステップＳ１２と並行し、電源オン後において、選択されているチャンネルに係わらず、１〜３ｃｈザッピングデータが通信部２０１によって受信され、第２伝送路復号化部２２０に出力される（ステップＳ１８）。
【００８６】
次いで、制御部２０３によって、第２伝送路復号化部２２０から伝送路復号化された１〜３ｃｈザッピングデータが出力できる状態か否かが判断される（ステップＳ１９）。
【００８７】
ステップＳ１９において、伝送路復号化された１〜３ｃｈザッピングデータが出力できる状態と判断されなかった場合はステップＳ１８に戻る。ここで、第２伝送路復号化部２２０は、常時受信される１〜３ｃｈザッピングデータを常時伝送路復号化する構成なので、ステップＳ１９からステップＳ１８に戻るのは、電源投入後の数秒から十数秒間程度の期間に限定される。
【００８８】
一方、ステップＳ１９において、伝送路復号化された１〜３ｃｈザッピングデータが出力できる状態と判断された場合は、制御部２０３によって、第１伝送路復号化部２１０がリセット状態か否かが判断される（ステップＳ２０）。すなわち、チャンネルの切り替えが行われたか否かが判断される。
【００８９】
ステップＳ２０において、第１伝送路復号化部２１０がリセット状態と判断されなかった場合、すなわちチャンネルの切り替えが行われていない場合は、ステップＳ１６に進む。一方、第１伝送路復号化部２１０がリセット状態と判断された場合、すなわちチャンネルの切り替えが行われた場合は、ステップＳ２１以降の番組切替処理に進む。
【００９０】
番組切替処理においては、まず、通信部２０１によって、２ｃｈ番組データが受信され第１伝送路復号化部２１０に出力され（ステップＳ２１）、制御部２０３によって、第１伝送路復号化部２１０から伝送路復号化された２ｃｈ番組データが出力できる状態か否かが判断される（ステップＳ２２）。
【００９１】
ステップＳ２２において、伝送路復号化された２ｃｈ番組データが出力できる状態と判断されなかった場合はステップＳ２１以降の番組切替処理に戻る。
【００９２】
また、ステップＳ２１と並行して、第２デコーダ２０５によって、２ｃｈザッピングデータが情報源復号化される（ステップＳ２３）。
【００９３】
引き続き、切替部２０６によって、第２デコーダ２０５が選択され、情報源復号化された２ｃｈザッピングデータが表示装置１４に出力され（ステップＳ２４）、ステップＳ２２に進む。表示装置１４に２ｃｈザッピングデータが出力された結果、低レートの映像、音声データ等に基づいた２ｃｈ番組が再生され、視聴者に提供されることとなる。
【００９４】
そして、ステップＳ２２において、伝送路復号化された２ｃｈ番組データが出力できる状態と判断された場合は、ステップＳ１４に進み、第１デコーダ２０４によって、２ｃｈ番組データが情報源復号化され（ステップＳ１４）、表示装置１４に出力される（ステップＳ１５）。
【００９５】
以上のように、本実施の形態に係る放送システム１０によれば、送信装置１００は、複数の番組データを互いに異なるチャンネルで送信し、これらのチャンネルとは異なる特定チャンネルで各番組データが低ビットレートに変換されたザッピングデータを送信し、受信装置２００は、ザッピングデータを常時受信し、新たなチャンネルが選択されて当該チャンネルの番組データが再生できるまでの待機期間に、当該チャンネルの番組データに対応するザッピングデータを表示装置１４に出力する構成としたので、生放送の番組に対しても適用可能なザッピングを提供することができる。
【００９６】
なお、前述の実施の形態において、受信装置２００が、情報源復号化手段としての第１デコーダ２０４及び第２デコーダ２０５を備える構成を例に挙げて説明したが、本発明はこれに限定されるものではなく、例えば、受信装置２００が情報源復号化手段を備えず、切替部２０６が第１伝送路復号化部２１０及び第２伝送路復号化部２２０のいずれかを選択する構成としてもよい。
【００９７】
（第２の実施の形態）
まず、本発明の第２の実施の形態に係る放送システムの構成について説明する。ただし、本実施の形態に係る放送システムは、第１の実施の形態に係る放送システム１０（図１参照）の受信装置２００（図４参照）を図６に示す受信装置３００に変更したものなので、受信装置３００の構成のみを説明し、受信装置３００以外の構成には第１の実施の形態における構成と同一の符号を付して説明する。
【００９８】
図６に示すように、受信装置３００は、ＩＰネットワーク１５と通信する通信部３０１と、受信するチャンネルを選択するチャンネル選択部３０２と、装置全体の動作を制御する制御部３０３と、受信した番組データを伝送路復号化する第１伝送路復号化部３１０と、受信したザッピングデータを伝送路復号化する第２伝送路復号化部３２０と、伝送路復号化された番組データを情報源復号化する第１デコーダ３０４と、伝送路復号化されたザッピングデータを情報源復号化する第２デコーダ３０５と、第１デコーダ３０４及び第２デコーダ３０５のいずれか一方から出力されるデータを選択して出力する切替部３０６と、番組データを遅延させる遅延回路３０７とを備えている。なお、受信装置３００は、例えばＣＰＵ、ＲＯＭ、ＲＡＭ等を備え、所定のプログラムによって動作するようになっている。
【００９９】
遅延回路３０７は、選択されたチャンネルの番組データを通信部３０１から入力し、所定時間だけ遅延させて第１伝送路復号化部３１０に出力するようになっている。なお、遅延回路３０７は、本発明の同期手段を構成している。
【０１００】
第１の実施の形態に係る送信装置１００（図２参照）においては、番組データに対応したザッピングデータが生成されるが、ザッピングデータはトランスコード及び多重化の処理が行われるため、番組データよりも遅れて送信されることとなる。その平均の遅れ時間をＤとすると、第１の実施の形態に係る受信装置２００（図４参照）では、ザッピングデータから番組データに切り替えたとき、時間Ｄだけずれた映像等が表示装置１４に出力されることとなり、番組の切り替え時に視聴者に違和感を与えてしまうことがある。
【０１０１】
本実施の形態に係る放送システムでは、受信装置３００に遅延回路３０７を設けることにより、切り替え時の違和感を解消するものである。
【０１０２】
具体的には、図７に示すように、まず、送信装置１００において、番組データとザッピングデータとで対応するフレームには、ＭＰＥＧ−２デコードで用いられるＳＴＤ（Ｓｙｓｔｅｍ  Ｔａｒｇｅｔ  Ｄｅｃｏｒｄｅｒ）バッファを破綻させない範囲で同じＰＴＳ（Ｐｒｅｓｅｎｔａｔｉｏｎ  Ｔｉｍｅ  Ｓｔａｍｐ）を付け、ＴＳパケットのアダプテーションフィールドに含まれるＰＣＲ（Ｐｒｏｇｒａｍ  Ｃｌｏｃｋ  Ｒｅｆｅｒｅｎｃｅ：基準時刻情報）は、ザッピングデータの方を時間Ｄだけオフセットして同期させておく。
【０１０３】
次に、本実施の形態に係る受信装置３００（図６参照）においては、選択された番組データのＰＣＲがザッピングデータに対して同期するよう遅延回路３０７によって遅延時間が調整されるようになっている。その結果、選択された番組データが第１デコーダ３０４に入力される時刻と、ザッピングデータが第２デコーダ３０５に入力される時刻とがほぼ一致し、切替部３０６によってザッピングデータから番組データに切り替える際に両者間のフレームずれを抑えることができる（図７参照）。
【０１０４】
なお、ＩＰネットワーク１５を利用する放送では、各番組データのＴＳパケットがチャンネル毎に別の経路を経由した場合に遅延時間が異なることがあるが、当該遅延時間も含めて遅延回路３０７が時間関係の調整を行う構成としてもよい。また、送信装置１００側において、各番組データとザッピングデータとを同期させるために、各番組データをザッピングデータよりも所定時間だけ遅延させる遅延手段を設ける構成としてもよい。
【０１０５】
以上のように、本実施の形態に係る放送システムによれば、受信装置３００は、選択された番組データとザッピングデータとを同期させる遅延回路３０７を備えた構成としたので、番組の切り替え時に視聴者に違和感を与えることなく、生放送の番組に対しても適用可能なザッピングを提供することができる。
【０１０６】
（第３の実施の形態）
まず、本発明の第３の実施の形態に係る放送システムの構成について説明する。本実施の形態においては、ＰＯＮ（Ｐａｓｓｉｖｅ  Ｏｐｔｉｃａｌ  Ｎｅｔｗｏｒｋ）を経由してＩＰマルチキャスト通信による番組を複数の利用者に提供する例を挙げて説明する。
【０１０７】
図８に示すように、本実施の形態に係る放送システム３０は、映像等データを情報源符号化するエンコーダ３１〜３３と、情報源符号化された映像等データを含むストリームをＩＰネットワーク３５に送出する送信装置４００と、マルチキャスト通信におけるルーティグ処理を行うマルチキャストルータ３４と、ＰＯＮシステム５００とを備えている。
【０１０８】
ＰＯＮシステム５００は、番組データを供給するＯＬＴ（Ｏｐｔｉｃａｌ  Ｌｉｎｅ  Ｔｅｒｍｉｎａｌ）５１０と、番組データを伝送する光ファイバ５２０と、番組データを分岐する光カプラ５３０と、番組データを受信する複数のＯＮＵ（Ｏｐｔｉｃａｌ  Ｎｅｔｗｏｒｋ  Ｕｎｉｔ）５４０（５４０ａ、５４０ｂ・・・）と、ＯＮＵ５４０に接続された表示装置５５０（５５０ａ、５５０ｂ・・・）とを備えている。
【０１０９】
ここで、本実施の形態に係る送信装置４００は、第１の実施の形態に係る送信装置１００（図２参照）と同様に構成されたものである。また、本実施の形態に係る複数のＯＮＵ５４０は、それぞれ、第１の実施の形態に係る受信装置２００（図４参照）で構成されたものである。また、エンコーダ３１〜３３は、第１の実施の形態に係るエンコーダ１１〜１３に対応するものである。また、表示装置５５０は、第１の実施の形態に係る表示装置１４に対応するものである。したがって、第１の実施の形態の説明と重複する説明は省略する。
【０１１０】
マルチキャストルータ３４は、例えばＩＧＭＰ（Ｉｎｔｅｒｎｅｔ  Ｇｒｏｕｐ  Ｍａｎａｇｅｍｅｎｔ  Ｐｒｏｔｏｃｏｌ）クエリーメッセージを送出することによってマルチキャストグループを管理し、番組データを中継するようになっている。
【０１１１】
図８において、例えば利用者Ａが、ＯＮＵ５４０ａを操作し、チャンネルを切り替えて番組Ｐから番組Ｑに変更する場合を想定する。チャンネルの切り替えは、ＩＧＭＰにおいては参加マルチキャストグループの変更に相当する。チャンネルの切り替えが行われた場合、切り替え前に視聴されていた番組Ｐの視聴を終了する信号として、ＩＧＭＰではグループ離脱を示す信号が、利用者Ａが使用中のＯＮＵ５４０ａからマルチキャストルータ３４に送信される。
【０１１２】
まず、従来のＰＯＮシステムの問題点を説明する。ただし、便宜上、図８に示された符号と同じ符号を用いる。
【０１１３】
従来のＰＯＮシステムにおいては、ＯＮＵ５４０ａからマルチキャストルータ３４にグループ離脱を示す信号が送信された場合、マルチキャストルータ３４は、利用者Ａが離脱しようとする同グループに他の番組Ｐの利用者がいるか否かの確認処理を行う。したがって、この確認処理のため、マルチキャストルータ３４は、ＯＮＵ５４０ａに対する番組Ｐのデータの送信停止が遅くなり、結果としてＯＮＵ５４０ａにおいて番組切り替えに時間がかかる可能性がある。
【０１１４】
また、従来のＰＯＮシステムにおいては、マルチキャストルータ３４は、グループ離脱の処理を行わずに次の番組Ｑのグループ参加を行うことも可能であるが、この場合は、チャンネルを切り替えてから元の番組Ｐの配信が停止するまでは、番組Ｐ及び番組Ｑのデータを含む２つのＴＳがＯＮＵ５４０ａに配信されることになる。すなわち、１番組当たりの情報レートをＲ、アクセス系を共有するＯＮＵ５４０の利用者数をＮとすると、従来のＰＯＮシステムでは、最大２×Ｒ×Ｎの帯域を消費することとなる。
【０１１５】
これに対し、本実施の形態に係る放送システム３０では、低レートに変換したザッピングデータをチャンネル切り替え時に用いるので、このザッピングデータの帯域をαとすると、必要な帯域は最大でもＲ×Ｎ＋α程度で済み、必要な最大レートを低減することができる。なお、元の番組データを低レートに符号化したデータを用いるので、αはＲ〜２Ｒ程度に抑えることができる。また、本実施の形態に係る放送システム３０では、前述の確認処理も不要となるので、従来のものよりも高速なザッピングを利用者に提供することができる。
【０１１６】
以上のように、本実施の形態に係る放送システム３０によれば、ＰＯＮシステムにおいて、ＯＮＵ５４０は、チャンネルの切り替え時に、低レートに変換したザッピングデータを用いる構成としたので、番組データを供給する際の必要な最大レートを従来のものよりも低減することができると共に、生放送の番組に対しても適用可能なザッピングを提供することができる。
【産業上の利用可能性】
【０１１７】
以上のように、本発明に係る送信装置及び受信装置は、生放送の番組に対しても適用可能なザッピングを提供することができるという効果を有し、動画像や音声のデータを複数のチャンネルでストリーミング伝送し、チャンネルが切り替えられる際に高速なザッピング処理を実現する送信装置及び受信装置等として有用である。
【図面の簡単な説明】
【０１１８】
【図１】本発明の第１の実施の形態に係る放送システムのブロック図
【図２】本発明の第１の実施の形態に係る送信装置のブロック図
【図３】本発明の第１の実施の形態に係る送信装置が送信する番組データとザッピングデータとの関係を示すテーブルの一例を示す図
【図４】本発明の第１の実施の形態に係る受信装置のブロック図
【図５】本発明の第１の実施の形態に係る受信装置の各ステップのフローチャート
【図６】本発明の第２の実施の形態に係る受信装置のブロック図
【図７】本発明の第２の実施の形態に係る放送システムの動作説明図
【図８】本発明の第３の実施の形態に係る放送システムのブロック図
【符号の説明】
【０１１９】
１０、３０  放送システム
１１〜１３、３１〜３３  エンコーダ
１４、５５０（５５０ａ、５５０ｂ）  表示装置
１５、３５  ＩＰネットワーク
３４  マルチキャストルータ
１００、４００  送信装置
１１０  第１伝送路符号化部（第１情報入力手段）
１１１、１２１、１３１、１５１  受信バッファ
１１２、１２２、１３２、１５２  ＦＥＣ符号化部
１１３、１２３、１３３、１５３  インターリーブ処理部
１１４、１２４、１３４、１５４  パケット化部
１１５、１２５、１３５、１５５  送信バッファ
１２０  第２伝送路符号化部（第１情報入力手段）
１３０  第３伝送路符号化部（第１情報入力手段）
１４０  ザッピングデータ生成部
１４１〜１４３  トランスコード部（ビットレート変換手段）
１４４  多重化部（第２情報入力手段、多重化手段）
１５０  第４伝送路符号化部
１６０  通信部（送信手段）
２００、３００  受信装置
２０１、３０１  通信部（受信手段）
２０２、３０２  チャンネル選択部（チャンネル選択手段）
２０３、３０３  制御部
２０４、３０４  第１デコーダ（第１情報源復号化手段）
２０５、３０５  第２デコーダ（第２情報源復号化手段）
２０６、３０６  切替部（情報選択出力手段）
２１０、３１０  第１伝送路復号化部（第１伝送路復号化手段）
２１１、２２１  入力バッファ
２１２、２２２  パケット処理部
２１３、２２３  デインターリーブ処理部
２１４、２２４  ＦＥＣ回復部
２１５、２２５  出力バッファ
２２０、３２０  第２伝送路復号化部（第２伝送路復号化手段）
３０７  遅延回路（同期手段）
５００  ＰＯＮシステム
５１０  ＯＬＴ
５２０  光ファイバ
５３０  光カプラ
５４０（５４０ａ、５４０ｂ）  ＯＮＵ（受信装置）
【図１】
2007281868.tif 000003
【図２】
2007281868.tif 000004
【図３】
2007281868.tif 000005
【図４】
2007281868.tif 000006
【図５】
2007281868.tif 000007
【図６】
2007281868.tif 000008
【図７】
2007281868.tif 000009
【図８】
2007281868.tif 000010